(57)【要約】【課題】電気光学パネルとバックライトユニットを安定して保持できると共に、容易に取り外すことができ、更にはカバーをスムーズに係合して設置できる電気光学装置を提供する。【解決手段】液晶パネル２と、液晶パネル２と対応して配置されるバックライトユニット３と、液晶パネル２とバックライトユニット３を保持するフレーム４と、液晶パネル２の画素領域２Ａに対応する窓部５１ａを有すると共に周辺領域を覆うカバー５とを備え、カバー５の側壁５２に、バックライトユニット３の係合突起３ａと係合するための係合穴５２ｃを設け、係合穴５２ｃと係合突起３ａとの係合箇所より液晶パネル２側のフレーム４の側壁４３の外面に、案内用の突起４ｃを設ける電気光学装置であり、突起４ｃの液晶パネル２側の面は、液晶パネル２と離れる方向に傾斜する傾斜面４ｃ１とすると好適である。【選択図】図４
2010117641.tif 000002
【特許請求の範囲】
【請求項１】
複数の画素からなる画素領域及び該画素領域の周辺に設けられた周辺領域を有する電気
光学パネルと、
前記電気光学パネルと対応して配置されるバックライトユニットと、
前記電気光学パネルと前記バックライトユニットを保持するフレームと、
前記電気光学パネルの前記画素領域に対応して開口された窓部を有すると共に、前記周
辺領域を覆うカバーとを備え、
前記カバーは、前記バックライトユニットと係合するための係合部を側壁に有し、
前記フレームは、前記係合部の係合箇所より前記電気光学パネル側の側壁外面に突起を
有することを特徴とする電気光学装置。
【請求項２】
前記突起は、前記電気光学パネル側に形成された第１の面と、前記電気光学パネル側と
反対側に形成された第２の面とを有し、
前記第１の面を、前記電気光学パネルと離れる方向に傾斜する傾斜面とすることを特徴
とする請求項２記載の電気光学装置。
【請求項３】
前記カバーの側壁に、前記係合部として係合穴を形成し、
前記バックライトユニットに係合突起を側方に突出して設け、
前記係合穴と前記係合突起とを係合して前記カバーを設置することを特徴とする請求項
１又は２記載の電気光学装置。
【請求項４】
前記突起を、前記係合突起と平面的に重なる位置に配置することを特徴とする請求項３
記載の電気光学装置。
【請求項５】
前記突起を、前記係合突起よりも突出するように設けることを特徴とする請求項３又は
４記載の電気光学装置。
【請求項６】
複数の画素からなる画素領域及び該画素領域の周辺に設けられた周辺領域を有する電気
光学パネルを、フレームに一方の側から取り付ける第１工程と、
バックライトユニットを、前記フレームに他方の側から取り付け、前記電気光学パネル
と対向配置させる第２工程と、
前記電気光学パネルの前記画素領域に対応して開口された窓部を有すると共に前記周辺
領域を覆うカバーを前記フレームの前記一方の側から進行させ、前記フレームの側壁外面
に設けられている突起で前記カバーの側壁を案内しながら、前記カバーの側壁と前記バッ
クライトユニットとを係合させることにより、前記カバーを設置する第３工程と、
を備えることを特徴とする電気光学装置の製造方法。
【請求項７】
前記第１工程は、
前記フレームの側壁から内方に突出する支持部の前記一方の側の面に接着材を塗布する
工程と、
前記電気光学パネルを、前記一方の側から前記支持部に載置するようにして前記フレー
ムに配置する工程と、
押さえ治具を前記一方の側から進行させ、前記フレームの前記突起で前記押さえ治具の
側壁を案内しながら、前記押さえ治具の側壁に形成されている穴を前記突起に係合するこ
とにより、前記押さえ治具を設置し、前記押さえ治具の天板で前記電気光学パネルの前記
一方の側の面と対向する面を前記支持部に押し当てる工程と、
を備えることを特徴とする請求項６記載の電気光学装置の製造方法。
【請求項８】
請求項１〜５の何れかに記載の電気光学装置を備えることを特徴とする電子機器。
【発明の詳細な説明】
【技術分野】
【０００１】
本発明は、液晶パネル等の電気光学パネルと、電気光学パネルに光を照射するためのバ
ックライトユニットを備える液晶装置等の電気光学装置、及びその製造方法、並びにこの
電気光学装置を備える電子機器に関する。
【背景技術】
【０００２】
液晶装置等の電気光学装置は、コンピュータや携帯電話その他各種電子機器における表
示装置等として用いられており、特に液晶装置は、軽量・薄型で消費電力も少ないことか
ら各種電子機器の表示装置等として広く利用されている。通常、液晶装置には、液晶パネ
ルの背面側に、照明用光源と、その光源からの光を上記パネルに導くための導光板や拡散
板などを１のユニットとして構成したバックライトユニットが配置され、そのバックライ
トユニットによって液晶パネルに背面側から光を照射して正面側の画素領域に所望の画像
を表示する。
【０００３】
斯様な液晶パネルとバックライトユニットは、何らかの手段で一体的に保持されるのが
一般的であり、例えばフレームとカバーで保持される。フレームとカバーで液晶パネルと
バックライトユニットを保持する場合、例えば液晶パネルをフレーム（フレームケース）
の一方側に嵌合装着し、液晶パネルと対向して配置されるバックライトユニットをフレー
ムの他方側に背面パネルで嵌合装着し、天板と側壁を有し、液晶パネルの画素領域に対応
する窓部を有すると共に周辺領域を覆うカバー（シールドケース）をフレームに被装する
（特許文献１参照）。
【０００４】
【特許文献１】特開２００５−７７５５７号公報
【発明の開示】
【発明が解決しようとする課題】
【０００５】
ところで、特許文献１には、フレームに被装するカバーとフレームとの固定や、バック
ライトユニットの背面パネルとフレームとの固定について具体的な開示がないが、例えば
カバーをフレームに固定する際に接着に完全に依拠して固定すると、カバーをフレームか
ら容易に取り外すことができなくなるため、電気光学パネルである液晶パネルに異常が生
じた場合に、その交換や修理に多大な労力を必要とすることになる。また、バックライト
ユニットの背面パネルをフレームに固定する際に接着に完全に依拠して固定すると、同様
にバックライトユニットをフレームから容易に取り外すことができなくなるため、バック
ライトユニットに異常が生じた場合に、その交換や修理に多大な労力を必要とすることに
なる。そのため、電気光学パネルとバックライトユニットを安定して保持できると共に、
電気光学パネルとバックライトユニットを容易に取り外すことができる電気光学装置が求
められている。また、カバーをバックライトユニットに係合する場合には、そのカバーを
スムーズに係合して設置できることが望ましい。
【０００６】
本発明は上記問題点を解消するために提案するものであって、電気光学パネルとバック
ライトユニットをスムーズに安定して保持できると共に、電気光学パネルとバックライト
ユニットを容易に取り外すことができる電気光学装置及びその製造方法、並びに電気光学
装置を備える電子機器を提供することを目的とする。また、本発明の他の目的は、カバー
をバックライトユニットに係合する場合に、そのカバーをスムーズに係合して設置できる
電気光学装置及びその製造方法、並びに電気光学装置を備える電子機器を提供することに
ある。
【課題を解決するための手段】
【０００７】
本発明の電気光学装置は、複数の画素からなる画素領域及び該画素領域の周辺に設けら
れた周辺領域を有する電気光学パネルと、前記電気光学パネルと対応して配置されるバッ
クライトユニットと、前記電気光学パネルと前記バックライトユニットを保持するフレー
ムと、前記電気光学パネルの前記画素領域に対応して開口された窓部を有すると共に、前
記周辺領域を覆うカバーとを備え、前記カバーは、前記バックライトユニットと係合する
ための係合部を側壁に有し、前記フレームは、前記係合部の係合箇所より前記電気光学パ
ネル側の側壁外面に突起を有することを特徴とする。
本発明によれば、カバーの側壁の係合部をバックライトユニットに係合することにより
、電気光学パネルとバックライトユニットをフレームとカバーで安定して保持することが
できる。また、カバーの側壁の係合部をフレームの突起で案内してバックライトユニット
と係合することが可能であるから、カバーをバックライトユニットにスムーズに係合して
設置することができる。また、カバーの係合部の係合を外すことにより、電気光学パネル
とバックライトユニットをそれぞれ容易に取り外すことが可能であり、電気光学パネルや
バックライトユニットの修理や交換が必要になった場合に容易且つ迅速に対処することが
できる。また、電気光学パネルやバックライトユニットをフレームに接着する場合に、そ
の接着が外れても電気光学パネルやバックライトユニットがフレームから外れることを防
止できる。
【０００８】
本発明の電気光学装置は、前記突起が、前記電気光学パネル側に形成された第１の面と
、前記電気光学パネル側と反対側に形成された第２の面とを有し、前記第１の面を、前記
電気光学パネルと離れる方向に傾斜する傾斜面とすることを特徴とする。
本発明によれば、フレームに設けられる突起の第１の面を電気光学パネルと離れる方向
に傾斜する傾斜面とすることにより、カバーの側壁を傾斜面で案内し、カバーの係合部を
バックライトユニットとの係合箇所に一層容易に導くことができる。
【０００９】
本発明の電気光学装置は、前記カバーの側壁に、前記係合部として係合穴を形成し、前
記バックライトユニットに係合突起を側方に突出して設け、前記係合穴と前記係合突起と
を係合して前記カバーを設置することを特徴とする。
本発明によれば、カバーの側壁の係合穴をバックライトユニットの係合突起に係合する
ことにより、カバーとバックライトユニットの係合を容易且つ確実に行うことができると
共に、その係合離脱を容易に行うことができる。
【００１０】
本発明の電気光学装置は、前記突起を、前記係合突起と平面的に重なる位置に配置する
ことを特徴とする。
本発明によれば、カバーの側壁の突起による最大変形箇所を係合突起に重ねることがで
きるので、案内時や離脱時におけるカバーの側壁の変形を抑え、変形でカバーにかかる応
力を抑制することができる。
【００１１】
本発明の電気光学装置は、前記突起を、前記係合突起よりも突出するように設けること
を特徴とする。
本発明によれば、カバーの側壁を係合突起よりも外側に変形させることが可能となり、
カバーの側壁の係合穴を係合突起に一層容易に係合することができる。
【００１２】
本発明の電気光学装置の製造方法は、複数の画素からなる画素領域及び該画素領域の周
辺に設けられた周辺領域を有する電気光学パネルを、フレームに一方の側から取り付ける
第１工程と、バックライトユニットを、前記フレームに他方の側から取り付け、前記電気
光学パネルと対向配置させる第２工程と、前記電気光学パネルの前記画素領域に対応して
開口された窓部を有すると共に前記周辺領域を覆うカバーを前記フレームの前記一方の側
から進行させ、前記フレームの側壁外面に設けられている突起で前記カバーの側壁を案内
しながら、前記カバーの側壁と前記バックライトユニットとを係合させることにより、前
記カバーを設置する第３工程とを備えることを特徴とする。
本発明によれば、カバーの側壁をバックライトユニットに係合することにより、電気光
学パネルとバックライトユニットをフレームとカバーで安定して保持させることができる
。また、カバーの側壁の係合部をフレームの突起で案内してバックライトユニットと係合
することが可能であるから、カバーをバックライトユニットにスムーズに係合して設置す
ることができる。また、カバーの係合部の係合を外すことにより、電気光学パネルとバッ
クライトユニットをそれぞれ容易に取り外すことが可能であり、電気光学パネルやバック
ライトユニットの修理や交換が必要になった場合に容易且つ迅速に対処可能な構造とする
ことができる。また、電気光学パネルやバックライトユニットをフレームに接着する場合
に、その接着が外れても電気光学パネルやバックライトユニットがフレームから外れるこ
とを防止できる構造とすることができる。
【００１３】
本発明の電気光学装置の製造方法は、前記第１工程が、前記フレームの側壁から内方に
突出する支持部の前記一方の側の面に接着材を塗布する工程と、前記電気光学パネルを、
前記一方の側から前記支持部に載置するようにして前記フレームに配置する工程と、押さ
え治具を前記一方の側から進行させ、前記フレームの前記突起で前記押さえ治具の側壁を
案内しながら、前記押さえ治具の側壁に形成されている穴を前記突起に係合することによ
り、前記押さえ治具を設置し、前記押さえ治具の天板で前記電気光学パネルの前記一方の
側の面と対向する面を前記支持部に押し当てる工程とを備えることを特徴とする。
本発明によれば、フレームの支持部に電気光学パネルを高い強度で固着することができ
る。
【００１４】
本発明の電子機器は、本発明の電気光学装置を備えることを特徴とする。
本発明によれば、本発明の電気光学装置の作用効果を有する電子機器を構成することが
できる。
【発明を実施するための最良の形態】
【００１５】
〔第１実施形態の電気光学装置〕
本発明の電気光学装置の例として、液晶装置による第１実施形態の電気光学装置につい
て説明する。図１（ａ）は第１実施形態の電気光学装置を示す平面図、同図（ｂ）はその
側面図、図２、図３及び図４はそれぞれ図１におけるＡ−Ａ、Ｂ−ＢおよびＣ−Ｃ断面図
である。
【００１６】
第１実施形態の電気光学装置としての液晶装置１は、図１〜図４に示すように、電気光
学パネルとしての液晶パネル２と、液晶パネル２の背面側に配設されるバックライトユニ
ット３とを、実装ケース６で保持している。実装ケース６は、液晶パネル２とバックライ
トユニット３とを保持する保持部材であるフレーム４と、フレーム４に保持された液晶パ
ネル２の少なくとも一部を覆うようにして配設される保持部材であるカバー５とから構成
される。なお、カバー５は遮光部材からなる。
【００１７】
フレーム４は、図１〜図４に示すように、前後方向など一の方向で対向する側壁４１、
側壁４２と、対向する側壁４１、４２と交差する方向で対向する側壁４３・４３を有する
と共に、側壁４１〜４３から内側に突出して形成されている支持部４４を有し、中央部に
透光用の開口部４４ａを有する仕切板状の支持部４４を備えた断面略Ｈ字形の枠状に形成
されている。フレーム４は例えばポリカーボネートにより形成され、黒色とされている。
支持部４４の一方側に相当するＨ字形フレーム４の一方の凹部４ａ（図２〜図４の場合は
支持部４４よりも上側の凹部）には、液晶パネル２が収容して取り付けられ、支持部４４
の他方側に相当する他方の凹部４ｂ（図２〜図４の場合は支持部４４よりも下側の凹部）
には、バックライトユニット３が収容して取り付けられている。
【００１８】
液晶パネル２とバックライトユニット３は、凹部４ａ、４ｂでそれぞれ嵌合されるよう
にしてフレーム４により保持されている。液晶パネル２は、例えば対向基板２０の周縁を
素子基板１０と反対側からダイシングで半分程度カットして形成され、液晶パネル２の側
面と段差を有する内側面２０ａを有し、側壁４１〜４３に内側に突出して形成された嵌合
面４５に内側面２０ａを嵌合してフレーム４の凹部４ａに取り付けられている。即ち、対
向基板２０の対向する内側面２０ａ・２０ａ間の距離は、フレーム４の内側で対向する嵌
合面４５・４５間の距離に対応する嵌合可能な寸法で形成され、対向基板２０の内側面２
０ａ・２０ａが嵌合面４５・４５間に嵌合される。バックライトユニット３は、支持部４
４のバックライトユニット側の面と、側壁４１〜４３の内面とで構成される凹部４ｂに嵌
合されている。また、側壁４１・４２には、バックライトユニット３からの漏れ光を防止
可能なフランジ状の突出部４１ａ・４２ａが形成され、その両突出部４１ａ・４２ａ間に
カバー５が配置されている。
【００１９】
液晶パネル２及びバックライトユニット３は、必要に応じて弾性接着材等の接着材や両
面接着テープ等でフレーム４に固着すると好適であり、本実施形態では、支持部４４の一
方側の面（図２〜図４の場合は上面）や側壁４１〜４３の内側面において、液晶パネル２
をフレーム４に接着材２００で固定している。また、バックライトユニット３は、液晶パ
ネル２に対して所定の領域以外に光が照射されるのを防ぐための遮光部材を兼ねる略方形
枠状の両面接着テープ３１を介して、フレーム４の支持部４４の他方側の面（図２〜図４
の場合は下面）に固着されており、支持部４４の先端は両面接着テープ３１よりも内方に
突出している。バックライトユニット３は、微粘着テープの両面接着テープ３１等で着脱
可能に固定すると、バックライトユニット３のフレーム４からの取り外し時に、取り外し
作業を容易化することができるので好ましい。
【００２０】
カバー５は、図１〜図４に示すように、フレーム４内に収容した液晶パネル２の一方の
面（図２〜図４の場合は上面）を覆う天板５１と、天板５１の幅方向（図３及び図４にお
いて左右方向）両端部に天板５１から略直角に屈曲して形成した側壁５２・５２とを有し
、天板５１で液晶パネル２の一方の面側である外面側を覆うと共に、対向する側壁５２・
５２で、それぞれフレーム４の互いに対向する側壁４３・４３の外面の一部を覆うように
なっている。カバー５の天板５１には、図５に示す液晶パネル２の画素領域２Ａに対応す
る位置に、その部分を開口して形成した窓部５１ａが設けられ、天板５１は、液晶パネル
２の画素領域２Ａの周辺領域を覆うように配置される。カバー５は、例えばステンレス、
アルミ等で形成されると共に、視認可能な外側の面は黒く塗装されており、表示コントラ
ストを高め、視認時の眩しさを防止できるようになっている。
【００２１】
更に、液晶パネル２とバックライトユニット３とをフレーム４に保持させた状態で、カ
バー５の側壁５２とバックライトユニット３とが連結され、４つの部材２〜５が一体化さ
れている。カバー５の側壁５２とバックライトユニット３との連結手段としては、各側壁
５２・５２に係合部である係合穴５２ｃが形成され、係合穴５２ｃに係合する係合突起３
ａがバックライトユニット３の図４の左右両側の端部に一体的に設けられており、係合穴
５２ｃと係合突起３ａとの係合によって連結される。尚、カバー５に設ける係合部、これ
に対応してバックライトユニット３に設ける係合部の構成は適宜であるが、カバー５に設
ける係合部を係合穴５２ｃや凹部等の雌形の係合部とし、バックライトユニット３に設け
る係合部を係合突起３ａや係合爪等の雄形の係合部とすることが好ましい。図中、４３ａ
はフレーム４の各側壁４３・４３の外面側に、それと一体的に且つカバー５の側壁５２よ
りも外側に突出して設けられている張出部であり、張出部４３ａとの干渉を避けるように
して各側壁５２・５２には凹部５２ａが形成され、凹部５２ａの両側の下向きの突出部５
２ｂ・５２ｂにそれぞれ係合穴５２ｃが形成されている。
【００２２】
係合穴５２ｃが係合する係合突起３ａは、各係合穴５２ｃに対応してバックライトユニ
ット３の図４で左右両側の端部に、それぞれ２つずつ設けられている。係合穴５２ｃと係
合突起３ａとの係合箇所より液晶パネル２側に位置する、フレーム４の側壁４３の端部外
面には、案内用の突起４ｃが設けられている。案内用の突起４ｃの一方側（液晶パネル２
側）の第１の面は傾斜面４ｃ１、その反対側の第２の面は水平面になっており、傾斜面４
ｃ１は液晶パネル２と離れる方向に傾斜している。傾斜面４ｃ１は、例えば平面状或いは
断面視円弧状の凸曲面状とすると好適である。また、本実施形態における案内用の突起４
ｃは、係合突起３ａと平面的に重なる位置に配置される共に、係合突起３ａよりも側方に
突出するように設けられている。
【００２３】
カバー５の各係合穴５２ｃをバックライトユニット３の側方に突出する各係合突起３ａ
にそれぞれ係合する際には、液晶パネル２とバックライトユニット３とを保持するフレー
ム４に対して、カバー５を側壁５２の端部側から外嵌するように進行させ、側壁５２を端
部から案内用の突起４ｃで外側方に押し開き、側壁５２の端部が案内用の突起４ｃ及び係
合突起３ａを乗り越えさせ、突起４ｃが係合穴５２ｃ内に配置されるようにして係合穴５
２ｃを係合突起３ａに係合し、これによりカバー５を設置する。特に、本実施形態では、
案内用の突起４ｃの傾斜面４ｃ１により側壁５２の端部がスムーズに外側に押し広げられ
て、係合穴５２ｃが係合突起３ａにスムーズに係合する。
【００２４】
係合穴５２ｃと係合突起３ａとの係合で取り付けられたカバー５の天板５１の内側面は
、フレーム４の側壁４３のバックライトユニット３の照射光出射側の端部４３ｂと離間す
るように設けられ、その側壁５２の内側面はフレーム４の側壁４３の外側面と当接するよ
うに設けられる。
【００２５】
図１〜図４の液晶装置１で用いる電気光学パネルとしての液晶パネル２の構成は適宜で
あるが、第１実施形態では画素用のスイッチング素子として薄膜トランジスタを用いたア
クティブマトリックス型の液晶パネルを用いており、その具体的な構成を図５に基づいて
説明する。図５（ａ）は液晶パネル２の平面図、同図（ｂ）は同図（ａ）におけるａ−ａ
断面図である。
【００２６】
第１実施形態の液晶パネル２は、石英やガラスもしくはシリコン等からなる素子基板（
ＴＦＴアレイ基板）１０上に薄膜トランジスタが設けられ、その素子基板１０に対向して
ガラスや石英等からなる対向基板２０が設けられている。一対の基板である素子基板１０
と対向基板２０とは、画素領域（画像表示領域）２Ａの周囲に設けたシール材２４により
相互に接着固定され、シール材２４の内側の素子基板１０と対向基板２０との間には電気
光学物質である液晶層３０が封入されている。図５（ａ）において、２４ａはシール材２
４の一部を欠落させて形成した液晶注入口、２４ｂは液晶注入口２４ａを塞ぐ封止材であ
る。
【００２７】
シール材２４の外側の領域、即ち画素領域２Ａの外側の周辺領域には、不図示のデータ
線に画像信号を所定のタイミングで供給することによりデータ線を駆動するデータ線駆動
回路１４および外部回路接続端子１５が素子基板１０の一辺に沿って設けられている。ま
た不図示の走査線に走査信号を所定のタイミングで供給することにより走査線を駆動する
走査線駆動回路１６が、データ線駆動回路１４が設けられている一辺に隣接する二辺と平
行に且つシール材２４の内側に設けた遮光膜２５に対向する位置において素子基板１０上
に設けられている。素子基板１０の残る一辺には、走査線駆動回路１６の外部回路接続端
子１５側と反対側をつなぐための複数の配線１７が設けられている。
【００２８】
シール材２４の４つのコーナー部における素子基板１０上には上下導通端子１９が形成
され、素子基板１０と対向基板２０相互間には、下端が上下導通端子１９に接触し、上端
が対向電極２０に接触する上下導通材１８が設けられており、その上下導通材１８によっ
て、素子基板１０と対向基板２０との間で電気的な導通がとられている。
【００２９】
素子基板１０上には画素を構成する画素電極１２等が設けられ、その液晶層３０側には
配向膜１３が設けられている。また対向基板２０上にはその略全面に亘って対向電極２２
が設けられ、液晶層３０側にも配向膜２３が設けられている。各配向膜１３，２３は、例
えば、ポリイミド膜等の透明な有機膜からなり、その表面にラビング処理等を施こすこと
によって液晶層３０内の液晶分子が、液晶層３０に供給される電圧に応じて所定の方向に
配向する。
【００３０】
図１〜図４の液晶装置１では、図５の液晶パネル２を、その上下位置を反転してフレー
ム４に配置して保持されているが、液晶パネル２の向きやフレーム４による液晶パネル２
の保持構造等は適宜変更可能である。図１〜図４において、１１、２１は素子基板１０及
び対向基板２０のそれぞれ液晶層３０と反対側に設けた偏光板、２６、２７は、それぞれ
液晶パネル２及びバックライトユニット３と外部の電源や信号入力源とを電気的に接続す
るための導電接続部材を兼ねる可撓性プリント配線基板（ＦＰＣ）、４１ｂ、４１ｃは液
晶パネル２及びバックライトユニット３をフレーム４内に収容する際に、可撓性プリント
配線基板２９、３０がフレーム４の前方の側壁４１と干渉するのを防ぐために側壁４１に
形成した凹部である。
【００３１】
図１〜図４の液晶装置１で用いるバックライトユニット３は、ＬＥＤ等の光源からの光
を導光体や光拡散板等を介して液晶パネル２の背面側に照射する構成であり、それらの構
成部材をケーシング等で覆ってユニット化したものである。バックライトユニット３の構
成部材や内部構造等は適宜変更可能であり、図示例においてはその構成部材や内部構造等
は省略して全体的な外観形状のみを表している。
【００３２】
〔第１実施形態の電気光学装置の製造方法〕
次に、第１実施形態の電気光学装置である液晶装置１の製造方法について説明する。図
６は液晶パネルと押さえ治具をフレームに取り付ける工程を説明する断面説明図、図７は
液晶パネルと押さえ治具をフレームに取り付けた状態を示す断面説明図、図８は図７の状
態から押さえ治具を取り外した状態を示す断面説明図、図９は液晶パネルを保持するフレ
ームにバックライトユニットとカバーを取り付ける工程を説明する断面説明図である。
【００３３】
先ず、図６及び図７に示すように、液晶パネル２をフレーム４の一方の側から進行させ
、液晶パネル２をフレーム４の一方の側に取り付ける第１工程を行う。第１工程では、フ
レーム４の支持部４４の一方の側の面（図６では支持部４４の上側の面）と側壁４３の内
側面に亘って接着材２００を塗布する。この際、支持部４４の一方の側の面における根元
部分に、凹状の接着材溜り４４ｂを設け、接着材２００を溜められるようにすると、接着
材２００を所要領域に容易に溜めて良好な接着が可能となるので好適である。
【００３４】
次いで、本実施形態では対向基板２０をフレーム４側に向け、液晶パネル２をフレーム
４の一方の側から進行させ、フレーム４の一方の側である凹部４ａに液晶パネル２を配置
する。凹部４ａでは、液晶パネル２の内側面２０ａ・２０ａがフレーム４の嵌合面４５・
４５間に挿入されて嵌合保持され、液晶パネル２が支持部４４に載置されると共に、液晶
パネル２の外周側面と支持部４４側の面（本実施形態では素子基板１０、シール材２４、
対向基板２０の外側面と偏光板２１の外側面）とが、接着材２００を介して、支持部４４
の一方の側の面と嵌合面４５を含む側壁４３の内側面とに固着される。
【００３５】
次いで、液晶パネル２を保持しているフレーム４に対して、弾性を有する押さえ治具８
をフレーム４の一方の側から進行させて外嵌めする。押さえ治具８は、カバー５と類似の
構成であり、フレーム４内に収容した液晶パネル２の一方の面（図６及び図７の場合は上
面）を覆う天板８１と、天板８１の幅方向（図６及び図７の左右方向）両端部に天板８１
から略直角に屈曲して形成した側壁８２・８２を有する。天板８１は、曲げ部８１ｃで若
干曲げられ、曲げ部８１ｃより内側の中央領域が、曲げ部８１ｃよりも外側の外側領域よ
りも側壁８２側に位置するように形成されている。天板８１の中央領域には、液晶パネル
２の画素領域２Ａに対応する位置に、その部分を開口して形成した窓部８１ａが設けられ
ており、天板８１の曲げ部８１ｃは窓部８１ａの周縁８１ｂよりも外側に形成されている
。各側壁８２には、穴８２ａがそれぞれ形成されている。
【００３６】
押さえ治具８は、側壁８２の端部をフレーム４側に向けて一方の側から進行され、側壁
８２の内面をフレーム４の側壁４３の外面に接触しながら沿うように進行される。そして
、側壁８２の端部がフレーム４の突起４ｃの傾斜面４ｃ１に当接すると、側壁８２の端部
が傾斜面４ｃ１に沿うようにして、側壁８２は外側に押し開かれ、突起４ｃで側壁８２が
案内される。更に、穴８２ａの下側の縁部が突起４ｃを乗り越えると、押さえ治具８の側
壁８２に形成されている穴８２ａがフレーム４の突起４ｃに係合され、これにより押さえ
治具８がフレーム４に設置される。
【００３７】
穴８２ａと突起４ｃの係合で設置された押さえ治具８の天板８１は、液晶パネル２の一
方の面側の画素領域２Ａの周辺領域を覆うと共に、その曲げ部８１ｃと窓部８１ａとの間
に位置する領域を偏光板１１に当接し、液晶パネル２を支持部４４側に付勢して、液晶パ
ネル２の一方の側の面と対向する面（図７の場合は対向基板２０の偏光板２１）を支持部
４４に押し当て、液晶パネル２と支持部４４との接着材２００による固着時の状態を安定
化する。この際、天板８１に形成された窓部８１ａにより、液晶パネル２の画素領域２Ａ
が天板８１で押圧されるのを回避し、押圧で生ずる表示不良等を防止できる。また、押さ
え治具８の対向する側壁８２・８２は、それぞれフレーム４の互いに対向する側壁４３・
４３の外面の一部を覆うように配置される。
【００３８】
押さえ治具８は、接着材２００が硬化して、液晶パネル２と支持部４４とが接着材２０
０で確実に固着されるまで設置された状態とし、押さえ治具８の天板８１の撓みによるば
ね力で液晶パネル２を支持部４４に付勢し続ける。確実に固着した後には、図８に示すよ
うに、押さえ治具８をフレーム４から取り外す。取り外しの際には、押さえ治具８の側壁
８２を外側に押し開いて穴８２ａと突起４ｃとの係合を外し、挿入したフレーム４の一方
の側に抜き出す。好ましくはこの後に、フレーム４に取り付けた液晶パネル２の表示検査
を行い、良品のみ次工程を続けて行い、不良品は次工程を行わないようにするとよい。
【００３９】
次いで、図９及び図４に示すように、第２工程として、液晶パネル２を保持するフレー
ム４に対して、バックライトユニット３をフレーム４の他方側から進行させ、バックライ
トユニット３をフレーム４の他方側である凹部４ｂに取り付け、液晶パネル２に対向配置
する。バックライトユニット３は、係合突起３ａが形成されている側をフレーム４側とし
、フレーム４側に向けた面に両面接着テープ３１を固着した状態でフレーム４の他方側か
ら進行させ、支持部４４や側壁４３の他方側の面に両面接着テープ３１で固着することに
より、凹部４ｂに取り付けられる。バックライトユニット３の係合突起３ａは、フレーム
４の突起４ｃと近接して突起４ｃと平面的に重なる位置に配置され、突起４ｃより内側の
位置まで突出するように設けられる。
【００４０】
その後、図９及び図４に示すように、第３工程として、液晶パネル２及びバックライト
ユニット３を保持するフレーム４に対して、カバー５をフレーム４の一方側から進行させ
、側壁５２の内面をフレーム４の側壁４３の外面に接触しながら沿うように進行させる。
そして、側壁５２の端部がフレーム４の突起４ｃの傾斜面４ｃ１に当接すると、側壁５２
の端部が傾斜面４ｃ１に沿うようにして、側壁５２は外側に押し開かれ、突起４ｃで側壁
５２が案内される。更に、係合穴５２ｃの下側の縁部が突起４ｃと係合突起３ａを乗り越
えると、カバー５の側壁５２に位置する係合穴５２ｃがバックライトユニット３の係合突
起３ａに係合され、これによりカバー５がフレーム４に設置され、外嵌される。係合穴５
２ｃと係合突起３ａとの係合時には、突起４ｃは係合穴５２ｃ内に突出するように配置さ
れる。
【００４１】
本実施形態によれば、カバー５の側壁５２の係合穴５２ｃとバックライトユニット３の
係合突起３ａとを係合することにより、カバー５の脱落を防止しつつ、液晶パネル２とバ
ックライトユニット３をフレーム４とカバー５で安定して保持することができる。また、
カバー５の側壁５２をフレーム４の突起４ｃで案内して係合穴５２ｃと係合突起３ａとを
係合することにより、カバー５とバックライトユニット３とをスムーズ且つ確実に係合し
て、カバー５を設置することができる。また、カバー５の係合穴５２ｃとフレーム４の係
合突起３ａとの係合を外すことにより、液晶パネル２とバックライトユニット３をそれぞ
れ容易に取り外すことが可能であり、液晶パネル２やバックライトユニット３の修理や交
換が必要になった場合に容易且つ迅速に対処することができる。また、液晶パネル２やバ
ックライトユニット３の接着が外れた場合に、液晶パネル２やバックライトユニット３が
フレーム４から外れることを防止できる。
【００４２】
また、フレーム４の突起４ｃの第１の面を液晶パネル２と離れる方向に傾斜する傾斜面
４ｃ１とすることにより、カバー５の側壁５２を傾斜面４ｃ１で案内し、係合穴５２ｃを
係合突起３ａに一層容易に導くことができる。また、フレーム４の突起４ｃとバックライ
トユニット３の係合突起３ａを平面的に重なる位置に配置することにより、カバー５の側
壁５２の突起４ｃによる最大変形箇所を係合突起３ａに重ねることができ、案内時や離脱
時におけるカバー５の側壁５２の変形を抑え、変形でカバー５にかかる応力を抑制するこ
とができる。また、フレーム４の突起４ｃをバックライトユニット３の係合突起３ａより
も外側に突出することにより、カバー５の側壁５２を係合突起３ａよりも外側に変形させ
ることが可能となり、カバー５の側壁５２の係合穴５２ｃを係合突起３ａに一層容易に係
合することができる。
【００４３】
また、接着材２００を塗布した支持部４４に液晶パネル２を押さえ治具８で押し当てる
ことにより、液晶パネル２を支持部４４に高い強度で固着することができる。また、液晶
パネル２とバックライトユニット３を別々にフレーム４に搭載することが可能であるから
、例えば液晶パネル２をフレーム４に取り付けた後に表示検査を実施し、良品に対しての
みバックライトユニット３を取り付けることにより、余分なコストが生ずることを防止す
ることができる。
【００４４】
〔実施形態の変形例等〕
本発明は上記実施形態に限定されるものではなく、本発明の目的を達成できる範囲内で
変形、改良等したものも本発明に含まれる。例えば上記実施形態は、本発明を電気光学装
置として液晶装置に適用し、電気光学パネルとしてアクティブマトリックス型の液晶パネ
ルを用いた場合を例にして説明したが、パッシブマトリクス型の液晶パネルを用いてもよ
く、また液晶パネルに限らず、その他各種の電気光学パネルを用いる電気光学装置として
もよい。
【００４５】
また、本発明の電気光学装置は、各種の電子機器の表示部等として用いることができる
。図１０はその一例を示すもので、実施形態の液晶装置１を、電子機器７としてのデジタ
ルカメラ７０におけるエレクトリカルビューファインダ（ＥＶＦ）として用いたものであ
る。図中７１は画像表示モニタ、７２はシャッタボタン、７３はダイヤルスイッチ、７４
は電源ボタンである。
【００４６】
また、本発明による電気光学装置を用いる電子機器は、デジタルカメラ７０に限定され
ず、その他各種の電子機器に適用可能である。例えば携帯電話機やＰＤＡ（Personal Dig
ital Assistants）と呼ばれる携帯型情報機器、携帯型パーソナルコンピュータ、パーソ
ナルコンピュータ、ワークステーション、デジタルスチルカメラ、車載用モニタ、デジタ
ルビデオカメラ、液晶テレビ、ビューファインダ型、モニタ直視型のビデオテープレコー
ダ、カーナビゲーション装置、ページャ、電子手帳、電卓、ワードプロセッサ、ワークス
テーション、テレビ電話機、およびＰＯＳ端末機などの電子機器にも広く利用することが
できる。
【図面の簡単な説明】
【００４７】
【図１】（ａ）は本発明の第１実施形態の電気光学装置としての液晶装置を示す平面図、（ｂ）はその側面図。
【図２】図１におけるＡ−Ａ断面図。
【図３】図１におけるＢ−Ｂ断面図。
【図４】図１におけるＣ−Ｃ断面図。
【図５】（ａ）は電気光学パネルとしての液晶パネルの具体的な構成の一例を示す平面図、（ｂ）は（ａ）におけるａ−ａ断面図。
【図６】液晶パネルと押さえ治具をフレームに取り付ける工程を説明する断面説明図。
【図７】液晶パネルと押さえ治具をフレームに取り付けた状態を示す断面説明図。
【図８】図７の状態から押さえ治具を取り外した状態を示す断面説明図。
【図９】液晶パネルを保持するフレームにバックライトユニットとカバーを取り付ける工程を説明する断面説明図。
【図１０】本発明の電気光学装置としての液晶装置を用いた電子機器としてのデジタルカメラの背面図。
【符号の説明】
【００４８】
１…液晶装置（電気光学装置）  ２…液晶パネル（電気光学パネル）  ２Ａ…画素領域（
画像表示領域）  ２００…接着材  ３…バックライトユニット  ３ａ…係合突起  ３１…
両面接着テープ  ４…フレーム  ４ａ、４ｂ…凹部  ４ｃ…案内用の突起  ４ｃ１…傾斜
面  ４１、４２、４３…側壁  ４１ａ、４２ａ…突出部  ４１ｂ、４１ｃ…凹部  ４３ａ
…張出部  ４３ｂ…端部  ４４…支持部  ４４ａ…開口部  ４４ｂ…接着材溜り  ４５…
嵌合面  ５…カバー（遮光部材）  ５１…天板  ５１ａ…窓部  ５２…側壁  ５２ａ…凹
部  ５２ｂ…突出部  ５２ｃ…係合穴  ６…実装ケース  ７…電子機器  ７０…デジタル
カメラ  ７１…画像表示モニタ  ７２…シャッタボタン  ７３…ダイヤルスイッチ  ７４
…電源ボタン  ８…押さえ治具  ８１…天板  ８１ａ…窓部  ８１ｂ…端部  ８１ｃ…曲
げ部  ８２…側壁  ８２ａ…穴  １０…素子基板  １１…偏光板  １２…画素電極  １３
…配向膜  １４…データ線駆動回路  １５…外部回路接続端子  １６…走査線駆動回路  
１７…配線  １８…上下導通材  １９…上下導通端子  ２０…対向基板  ２０ａ…内側面
２１…偏光板  ２２…対向電極  ２３…配向膜  ２４…シール材  ２４ａ…液晶注入口
２４ｂ…封止材  ２５…遮光膜  ２６、２７…可撓性プリント配線基板  ３０…液晶層
【図１】
2010117641.tif 000003
【図２】
2010117641.tif 000004
【図３】
2010117641.tif 000005
【図４】
2010117641.tif 000006
【図５】
2010117641.tif 000007
【図６】
2010117641.tif 000008
【図７】
2010117641.tif 000009
【図８】
2010117641.tif 000010
【図９】
2010117641.tif 000011
【図１０】
2010117641.tif 000012